(57)【特許請求の範囲】
【請求項１】
印刷ヘッドを備え、一方向を長手とする複数の凸レンズを有するレンズシートに対して相対的に移動させ、前記印刷ヘッドからインクを噴射することにより印刷を行う印刷装置であって、
前記印刷ヘッドを移動させる移動手段と、
前記レンズシートのレンズピッチを測定する測定手段と、
前記測定手段で測定される前記レンズピッチが判定閾値を超える場合は前記印刷ヘッドが前記一方向に対して平行に移動して印刷する平行印刷であると判定し、前記判定閾値を超えない場合は前記印刷ヘッドが前記レンズシートの前記一方向に対して垂直に移動して印刷する垂直印刷であると判定する判定手段と、
前記レンズシートがセットされる方向に応じて前記印刷ヘッドの移動速度を変更するよう制御する制御手段と、
を具備し、
前記制御手段は、前記判定手段での判定結果が、前記平行印刷であると判定した場合には、前記垂直印刷であると判定した場合よりも、前記印刷ヘッドの移動速度を遅くするように制御するものである、
ことを特徴とする印刷装置。
【請求項２】
請求項１記載の印刷装置であって、
前記印刷ヘッドと前記レンズシートとの間のギャップを調整するギャップ調整機構を備え、
前記制御手段は、前記垂直印刷である場合には、前記平行印刷である場合よりも、前記ギャップが狭くなるように前記ギャップ調整機構を調整する、
ことを特徴とする印刷装置。
【請求項３】
請求項１または２記載の印刷装置であって、
前記レンズシートを搬送する搬送手段を備え、
前記制御手段は、前記平行印刷である場合は、前記垂直印刷である場合より、前記レンズシートの搬送速度が遅くなるように、前記搬送手段を制御する、
ことを特徴とする印刷装置。
【請求項４】
印刷ヘッドを備え、一方向を長手とする複数の凸レンズを有するレンズシートに対して相対的に移動させ、前記印刷ヘッドからインクを噴射することにより印刷を行う印刷方法であって、
前記レンズシートのレンズピッチを測定する測定工程と、
前記測定手段で測定される前記レンズピッチが判定閾値を超える場合は前記印刷ヘッドが前記一方向に対して平行に移動して印刷する平行印刷であると判定し、前記判定閾値を超えない場合は前記印刷ヘッドが前記レンズシートの前記一方向に対して垂直に移動して印刷する垂直印刷であると判定する判定工程と、
移動手段によって前記印刷ヘッドを移動させる際に、前記レンズシートがセットされる方向に応じて前記印刷ヘッドの移動速度を変更するよう制御する制御工程と、
前記制御工程での前記移動手段の移動速度の制御に基づいて前記印刷ヘッドから前記インクを噴射させて前記レンズシートへの印刷を実行する印刷実行工程と、
を具備し、
前記制御工程では、前記判定工程での判定結果が、前記平行印刷であると判定した場合には、前記垂直印刷であると判定した場合よりも、前記印刷ヘッドの移動速度を遅くするように制御するものである、
ことを特徴とする印刷方法。
【発明の詳細な説明】
【技術分野】
【０００１】
本発明は、印刷装置および印刷方法に関する。
【背景技術】
【０００２】
視認される画像が立体視されたり、見る角度を変えることで視認される画像を切り替える（指向性を有するものとする）ために、多数のシリンドリカル凸レンズ（レンチキュラーレンズともいう；以下、凸レンズとする）が並列配置されたレンズシートに、印刷画像を形成することが行われている。この印刷画像においては、凸レンズのピッチに対応させたレンズ分配画像が凸レンズの並びの方向に配列されている。なお、それぞれのレンズ分配画像内には、視差や画像の切り替えに対応させたストライプ状の細分化画像が、それぞれの凸レンズのピッチ内に多数並べて記録されている。
【０００３】
このようなレンズシートに印刷を行う場合においては、凸レンズに対して、インク滴を凸レンズの所定の位置に精度良く着弾させる一方で、印刷速度が向上することも望まれている。ここで、特許文献１には、検出ヘッドによってレンズ位置を検出し、それによって印刷ヘッドがインクを吐出する位置を補正する技術について開示されている。
【先行技術文献】
【特許文献】
【０００４】
【特許文献１】特開２００３−２１８７８号公報
【発明の概要】
【発明が解決しようとする課題】
【０００５】
ところで、レンズシートを印刷装置にセットする向きは、印刷装置の紙送り方向に対して凸レンズの長手が沿う向きとするか、または紙送り方向に対して凸レンズの長手が直交する向きとするかのいずれかであることがほとんどである。ここで、レンズシートをセットする向きを変えると、凸レンズの長手方向も変わる。そのため、レンズシートの向きによっては、印刷速度を速くしても印刷画質にさほど影響を与えない場合もあれば、印刷精度がシビアに要求される場合もあると考えられる。
【０００６】
しかしながら、特許文献１には、そのようなレンズシートの向きに応じて、適切な印刷制御とする点に付いては何等開示はない。
【０００７】
本発明は上記の事情にもとづきなされたもので、その目的とするところは、レンズシートの向きに応じて、印刷速度を速くすること、および印刷精度を良好にすることのうち、少なくとも１つを実現することが可能な印刷装置および印刷方法を提供しよう、とするものである。
【課題を解決するための手段】
【０００８】
上記課題を解決するために、本発明の印刷装置は、印刷ヘッドを備え、一方向を長手とする複数の凸レンズを有するレンズシートに対して相対的に移動させ、印刷ヘッドからインクを噴射することにより印刷を行う印刷装置であって、印刷ヘッドを移動させる移動手段と、レンズシートがセットされる方向に応じて印刷ヘッドの移動速度を変更するよう制御する制御手段と、を具備し、制御手段は、印刷ヘッドがレンズシートの一方向に対して垂直に移動して印刷する場合には、印刷ヘッドが一方向に対して平行に移動して印刷する場合よりも、印刷ヘッドの移動速度を遅くするように制御するものである。
【０００９】
このように構成する場合には、印刷ヘッドの走査方向が一方向に対して垂直な状態で印刷を実行する場合（垂直印刷を行う場合）には、走査方向が一方向に対して平行な状態で印刷を実行する場合（平行印刷を行う場合）よりも、印刷ヘッドの移動速度を遅くするように制御される。それにより、レンズシートに対して垂直印刷を実行する場合には、平行印刷の場合よりも、印刷ヘッドから噴射されるインク滴の着弾位置をより精度良いものとすることができる。
【００１０】
また、印刷ヘッドからインクを噴射する場合、噴射されるインク滴の大部分は、主滴に含まれる。しかしながら、インクの噴射においては、上述の主滴以外に、サテライトと呼ばれる微小飛沫も発生する。ここで、上述のように垂直印刷を実行する場合に、平行印刷の場合よりも印刷ヘッドの移動速度を遅くすることにより、サテライトの着弾位置を主滴に近づけることができる。それにより、印刷によって形成されるドットが印刷ヘッドの移動方向に広がるのを抑えることが可能となり、隣接する細分化画像の絵柄の切り替わりを良好なものとすることが可能となる。
【００１１】
また、本発明の他の側面は、上述の発明において、印刷ヘッドとレンズシートとの間のギャップを調整するギャップ調整機構を備え、制御手段は、印刷ヘッドがレンズシートの一方向に対して垂直に移動して印刷する場合には、印刷ヘッドが一方向に対して平行に移動して印刷する場合よりも、ギャップが狭くなるようにギャップ調整機構を調整する、ことが好ましい。
【００１２】
このように構成する場合には、印刷ヘッドの走査方向が一方向に対して垂直な状態で印刷を実行する場合（垂直印刷を行う場合）には、走査方向が一方向に対して平行な状態で印刷を実行する場合（平行印刷を行う場合）よりも、印刷ヘッドとレンズシートとの間のギャップを狭くなるようにギャップ調整機構にて調整される。それにより、レンズシートに対して垂直印刷を実行する場合には、平行印刷の場合よりも印刷ヘッドとレンズシートとの間のギャップが狭くなる。それにより、垂直印刷の場合には、平行印刷の場合よりも、サテライトの着弾位置が主滴に近付けることができ、印刷精度を高くすることが可能となる。加えて、インク滴がレンズシートに着弾するまでの間における気流等の影響による位置ずれを低減することが可能となり、印刷精度を高くすることが可能となる。
【００１３】
さらに、本発明の他の側面は、上述の発明において、レンズシートを搬送する搬送手段を備え、制御手段は、印刷ヘッドがレンズシートの一方向に対して平行に移動して印刷する場合は、印刷ヘッドがレンズシートの一方向に対して垂直に移動して印刷する場合より、レンズシートの搬送速度が遅くなるように、前記搬送手段を制御する、ことが好ましい。
【００１４】
このように構成する場合には、印刷ヘッドの走査方向が一方向に対して平行な状態で印刷を実行する場合（平行印刷を行う場合）には、走査方向が一方向に対して垂直な状態で印刷を実行する場合（垂直印刷を行う）よりも、レンズシートの搬送速度を遅くするように制御される。それにより、レンズシートに対して平行印刷を実行する場合には、垂直印刷の場合よりも、印刷ヘッドから噴射されるインク滴の着弾位置をより精度良いものとすることができる。
【００１５】
また、印刷ヘッドからインクを噴射する場合、主滴以外に、サテライトと呼ばれる微小飛沫も発生する。ここで、上述のように平行印刷を実行する場合に、垂直印刷の場合よりもレンズシートの搬送速度を遅くすることにより、サテライトの着弾位置を主滴に近づけることができる。それにより、印刷によって形成されるドットがレンズシートの搬送方向に広がるのを抑えることが可能となり、隣接する細分化画像の絵柄の切り替わりを良好なものとすることが可能となる。
【００１６】
また、本発明の他の側面は、上述の発明において、レンズシートのレンズピッチを測定する測定手段と、測定手段で測定されるレンズピッチが判定閾値を超える場合に平行印刷であると判定し、判定閾値を超えない場合に垂直印刷であると判定する判定手段と、を具備し、制御手段は、判定手段での判定結果に対応して制御内容を変更する、ことが好ましい。
【００１７】
このように構成する場合には、測定手段でレンズシートのレンズピッチを測定すると、判定手段では、レンズピッチが判定閾値を超えるか否かに応じて、垂直印刷であるか平行印刷であるかが判定される。それにより、制御手段では、レンズピッチに関する情報の入力を行わくても、判定手段での判定結果に基づいて、レンズシートの方向に応じた制御を自動的に実行させることが可能となる。そして、実際にセットされるレンズシートの方向に応じた印刷を実行させることが可能となる。
【００１８】
さらに、本発明の他の側面である印刷方法は、印刷ヘッドを備え、一方向を長手とする複数の凸レンズを有するレンズシートに対して相対的に移動させ、印刷ヘッドからインクを噴射することにより印刷を行う印刷方法であって、移動手段によって印刷ヘッドを移動させる際に、レンズシートがセットされる方向に応じて印刷ヘッドの移動速度を変更するよう制御する制御工程と、制御工程での移動手段の移動速度の制御に基づいて印刷ヘッドからインクを噴射させてレンズシートへの印刷を実行する印刷実行工程と、を具備し、制御工程では、印刷ヘッドがレンズシートの一方向に対して垂直に移動して印刷する場合には、印刷ヘッドが一方向に対して平行に移動して印刷する場合よりも、印刷ヘッドの移動速度を遅くするように制御するものである、ことが好ましい。
【００１９】
このように構成する場合には、印刷ヘッドの走査方向が一方向に対して垂直な状態で印刷を実行する場合（垂直印刷を行う場合）には、走査方向が一方向に対して平行な状態で印刷を実行する場合（平行印刷を行う場合）よりも、印刷ヘッドの移動速度を遅くするように制御工程で制御される。それにより、レンズシートに対して垂直印刷を実行する場合には、平行印刷の場合よりも、印刷ヘッドから噴射されるインク滴の着弾位置をより精度良いものとすることができる。
【００２０】
また、印刷ヘッドからインクを噴射する場合、噴射されるインク滴の大部分は、主滴に含まれる。しかしながら、インクの噴射においては、上述の主滴以外に、サテライトと呼ばれる微小飛沫も発生する。ここで、上述のように垂直印刷を実行する場合に、平行印刷の場合よりも印刷ヘッドの移動速度を遅くすることにより、サテライトの着弾位置を主滴に近づけることができる。それにより、印刷によって形成されるドットが印刷ヘッドの移動方向に広がるのを抑えることが可能となり、隣接する細分化画像の絵柄の切り替わりを良好なものとすることが可能となる。
【図面の簡単な説明】
【００２１】
【図１】本発明の一実施の形態に係る垂直印刷の様子を説明する図である。
【図２】平行印刷の状態を説明する図である。
【図３】インク滴のうち、主滴とサテライトのイメージを示す図である。
【図４】平行印刷においてレンズシートの搬送速度調整のイメージを示す図である。
【図５】レンズシートの構成を示す斜視図である。
【図６】印刷装置の概略的な構成を示す斜視図である。
【図７】ＰＧ調整機構の構成を示す概略斜視図である。
【図８】制御部の概略的な構成を示すブロック図である。
【発明を実施するための形態】
【００２２】
以下、本発明の一実施の形態に係る印刷装置２０および印刷方法について、図面を参照しながら説明する。なお、以下の説明においては、印刷ヘッド２４を駆動させてインクの着弾により形成される絵柄を、印刷画像とする。また、印刷画像を視認した場合において見える画像を、絵柄とする。なお、本実施の形態では、凸レンズ１１を介してたとえば立体視用の印刷画像を見る場合、右目用と左目用の２つの絵柄が見え、たとえばチェンジングと呼ばれるタイプの場合、見る角度によって違う絵柄に切り替わるようになっている。
【００２３】
＜１．概要＞
［１］本発明の大枠について
（１−１）キャリッジ２２の移動速度に関して
図１は本発明の概要に関する印刷のイメージを示す図であり、図１は凸レンズ１１の長手方向に対してキャリッジ２２の走査方向が垂直である場合を示し、図２は凸レンズ１１の長手方向に対してキャリッジ２２の走査方向が平行である場合を示している。なお、以下の説明においては、キャリッジ２２の走査方向をＸ方向とし、レンズシート１０の搬送方向をＹ方向とする。
【００２４】
図１に示すように、凸レンズ１１の長手方向がキャリッジ２２の走査方向（Ｘ方向）に対して垂直である場合（以下、この場合を垂直印刷とする）、凸レンズ１１内におけるインク滴の着弾位置がずれてしまうと、本来見えるべき絵柄が違ってくる、という事態が発生する。すなわち、レンズシート１０においては、視差や画像の切り替えに対応した細分化画像の長手方向は、凸レンズ１１の長手方向と一致した状態で印刷されるが、その細分化画像の幅は１ドット分または数ドット分と、非常に小さいものとなっている。そのため、１ドット分に対応するインク滴の着弾位置がずれてしまうと、細分化画像の幅がずれてしまい、本来見えるべき絵柄が見えない、という事態が発生する。
【００２５】
一方、図２に示すように、凸レンズ１１の長手方向がキャリッジ２２の走査方向に対して平行である場合（以下、この場合を平行印刷とする）、凸レンズ１１内におけるインク滴の着弾位置のずれは、細分化画像の幅方向ではなく、長手方向となっている。ここで、細分化画像の長手方向においては、同じまたは類似する階調値のドットＤが形成されることが多い。そのため、インク滴の着弾位置が多少ずれても、そのずれは、見える絵柄にさほど影響を与えない。
【００２６】
また、少し別の観点から平行印刷を述べると、平行印刷において隣接するドットＤが同じ色合いの場合、細分化画像の長手方向（すなわちＸ方向）においては、同じノズル２４ａから続けてインク滴が噴射されることによって隣接するドットＤが形成される場合が多い。このように、同じノズル２４ａから続けてインク滴が噴射されると、時間Ｔ１のときに着弾したインク滴が乾かないうちに、時間Ｔ２のときにインク滴が隣に着弾する。そのため、隣り合うドットＤ間でインクのにじみが生じる。しかしながら、上述のように隣接するドットＤが同じ色合いの場合には、インクのにじみが生じても、見える絵柄への影響はさほど生じない状態となっている。
【００２７】
これに対して、垂直印刷の場合、隣接するドットＤが同じ色合いの場合であっても、同じノズル２４ａから続けてインクが噴射されないのが通常である。これは、次の理由による。すなわち、レンズシート１０に印刷する場合には、文字の印刷等とは異なり印刷精度が高い状態で印刷されるが、そのような印刷精度の高い印刷では、現状はマイクロウィーブ方式（インターレース方式ともいう）により印刷される。そのため、隣接するドットＤは、レンズシート１０を所定だけ搬送した後に、異なるノズル２４ａからインク滴が噴射されることで形成される。それにより、垂直印刷の場合、隣接するドットＤ同士の間では平行印刷の場合よりも十分に時間が経過するため、先に着弾したインク滴が乾き、それによってインクのにじみが生じない状態となっている。
【００２８】
ここで、図３に示すように、キャリッジ２２に取り付けられている印刷ヘッド２４からインクを噴射する場合、噴射されるインク滴の大部分は、メインのインク滴（以下、このメインのインク滴を主滴Ｄ１とする）に含まれる。しかしながら、この主滴Ｄ１以外に、サテライトＤ２と呼ばれる微小飛沫も発生する。このサテライトＤ２は、キャリッジ２２の移動速度が速ければ速いほど発生し易い、という傾向がある。また、サテライトＤ２に関しては、次の性質がある。すなわち、キャリッジ２２の速度が速い場合には、サテライトＤ２は主滴Ｄ１の中心から離れた位置に着弾する傾向がある。逆に、キャリッジ２２の速度が遅い場合には、サテライトＤ２は、キャリッジ２２の速度が速い場合よりも主滴Ｄ１の中心に近い側に着弾する傾向がある。
【００２９】
そこで、本発明では、（１）細分化画像の長手方向では同じまたは類似する階調値の形成されること、（２）平行印刷と垂直印刷のときの隣接するドットＤのにじみが発生するか否かの相違、（３）キャリッジ２２の速度によるサテライトＤ２の着弾位置の相違、に鑑みて、キャリッジ２２の移動速度を次のように制御している。
【００３０】
すなわち、本発明では、印刷装置２０にレンズシート１０をセットする向きによって、キャリッジ２２の移動速度を変更（切り替える）する制御を行うが、その制御では、垂直印刷の場合のキャリッジ２２の移動速度Ｖ１が、平行印刷の場合の移動速度Ｖ２よりも小さくなる（Ｖ１＜Ｖ２）ように制御している。換言すれば、垂直印刷の場合のキャリッジ２２の移動速度は、平行印刷の場合のキャリッジ２２の移動速度よりも遅いものとなるように制御している。それにより、垂直印刷の場合にキャリッジ２２の移動速度が遅くなるので、インク滴の着弾位置をより精度良いものとすることができる。加えて、図３に示すように、サテライトＤ２の着弾位置を主滴Ｄ１に近づけることができ、形成されるドットＤがキャリッジ２２の移動方向に広がるのを抑えることが可能となり、隣接する細分化画像の絵柄の切り替わりを良好なものとすることが可能となる。
【００３１】
（１−２）プラテンギャップの調整に関して
また、本発明では、レンズシート１０をセットする向きに応じて（平行印刷と垂直印刷とで）、プラテンギャップを変更する制御を行うようにしても良い。以下、その詳細について述べる。
【００３２】
垂直印刷の場合、上述のように、凸レンズ１１内におけるインク滴の着弾位置がずれてしまうと、本来見えるべき絵柄が違ってくる、という事態が発生する。そのため、垂直印刷では、平行印刷よりも印刷精度が高いことが要求される。上述のように、インク滴の噴射においては、主滴Ｄ１以外にサテライトＤ２も生じるが、そのサテライトＤ２の着弾位置が主滴Ｄ１からずれると、印刷精度が悪化する。また、インク滴はレンズシート１０に着弾するまでの間に気流等の影響で位置ずれを生じさせたりする。そのため、印刷ヘッド２４のノズル面２４ｂと、レンズシート１０との間の距離が遠い場合と近い場合とを比較すると、遠い場合の方が印刷精度が悪化する。
【００３３】
そこで、垂直印刷の場合に、平行印刷の場合よりも印刷精度を高めるべく、本発明では、垂直印刷の場合におけるプラテンギャップを、平行印刷の場合におけるプラテンギャップよりも狭くなるように制御している。すなわち、本発明では、印刷装置２０にレンズシート１０をセットする向きによって、プラテンギャップを変更するが、その変更の態様としては、垂直印刷におけるプラテンギャップが、平行印刷におけるプラテンギャップよりも狭くなるように変更する（切り替える）制御を行っている。
【００３４】
それにより、垂直印刷においては、平行印刷の場合よりもプラテンギャップが狭くなり、図３に示すように、サテライトＤ２の着弾位置が主滴Ｄ１に近付けることができ、印刷精度を高くすることが可能となる。加えて、インク滴がレンズシート１０に着弾するまでの間における気流等の影響による位置ずれを低減することが可能となり、印刷精度を高くすることが可能となる。
【００３５】
（１−３）レンズシート１０の搬送速度に関して
また、本発明では、レンズシート１０をセットする向きに応じて（平行印刷と垂直印刷とで）、レンズシート１０の搬送速度を変更する制御を行うようにしても良い。以下、その詳細について述べる。
【００３６】
垂直印刷の場合、レンズシート１０の搬送方向は、細分化画像の長手方向と一致している。そのため、上述の（１−１）で述べたのと同様の理由により、この垂直印刷においてはレンズシート１０の搬送ピッチを大きくしても（すなわち搬送速度を大きくしても）、見える絵柄への影響はさほど生じない状態となっている。
【００３７】
これとは逆に、平行印刷の場合、レンズシート１０の搬送方向は、細分化画像が並ぶ方向となっている。そのため、レンズシート１０の搬送方向においてインク滴の着弾位置がずれてしまうと、本来見えるべき絵柄が違ってくる、という事態が発生する。加えて、搬送方向において隣接するドットＤの間でも、インクのにじみが生じないことが好ましい。このため、平行印刷の場合には、搬送方向において隣接するドットＤは同じタイミングでは形成せずに、レンズシート１０の搬送を経た後に形成することが好ましい。
【００３８】
なお、印刷の解像度がノズルピッチと同等の場合には、図４（Ａ）に示すようにして印刷を行っても良い。しかしながら、印刷の解像度が高い場合には、図４（Ｂ）に示すように、印刷ヘッド２４のノズル２４ａの間を埋めるようなインターレース方式にて印刷が行われることが好ましい。図４（Ｂ）では、ノズル２４ａのノズル２４ａの間の間隔の１／４ずつ、ドットＤが形成されているが、ノズル２４ａの列（ノズル列２４ｃ）は、ドットＤの間隔の７倍だけ相対的に移動させるようにレンズシート１０を搬送して、印刷を行っている。
【００３９】
以上が本発明の概要である。すなわち、レンズシート１０を印刷装置２０にセットする向きに応じて、キャリッジ２２の移動速度を変更する（切り替える）制御を行う。さらに、レンズシート１０をセットする向きに応じて（平行印刷と垂直印刷とで）、プラテンギャップを変更する制御を行うようにしても良い。さらに、レンズシート１０をセットする向きに応じて（平行印刷と垂直印刷とで）、レンズシート１０の搬送速度を変更する制御を行うようにしても良い。
【００４０】
＜２．レンズシート１０について＞
続いて、レンズシート１０について説明する。図５に示すように、レンズシート１０は、凸レンズ１１と、基材１２と、インク吸収層１３と、を有している。
【００４１】
凸レンズ１１は、一方向を長手とするシリンドリカル凸レンズである。図５に示すように、この凸レンズ１１は、基材１２上に一定のピッチで並列に配置されている。この凸レンズ１１においては、それぞれの凸レンズ１１を進行する光の焦点が、レンズシート１０の裏面、または当該裏面に形成される印刷層に位置するように、凸レンズ１１の曲率が形成されるのが好ましい。凸レンズ１１は、ＰＥＴ（Polyethylene Terephtarate）、ＰＥＴＧ（Polyethylene  Terephtalate Glycol）、ＡＰＥＴ（Amorphous Polyethylene Terephthalate）、ＰＰ（Polypropylene）、ＰＳ（Polystyrene）、ＰＶＣ（Polyvinyl Chloride）、アクリル、ＵＶ（Ultraviolet）樹脂等を材質として形成されている。
【００４２】
また、基材１２は、透明性を有する材料を薄板状に形成したものであり、例えばＰＥＴ−Ｇ（Polyethylene Terephtalate Glycol）樹脂、ＰＥＴ（Polyethylene Terephtarate）樹脂等を用いることが可能である。
【００４３】
インク吸収層１３は、インクを吸収および／または固着させる部位である。このインク吸収層１３は、たとえばＰＶＡ（ポリビニルアルコール）等の親水性ポリマー樹脂、カチオン化合物、シリカ等の微粒子等を材質として形成されている。
【００４４】
なお、上述のレンズシート１０においては、インク吸収層１３よりも裏面側（基材１２および凸レンズ１１から離れる側）にインク透過層を設けるようにしても良い。この場合、インク透過層に付着したインクは、インク透過層を透過して、インク吸収層１３に到達する。このようなインク透過層としては、透明性を有する材質であることが必要であり、たとえばガラスファイバー、プラスチックファイバー等を材質として形成することが可能である。
【００４５】
＜３．印刷装置２０およびモーター制御について＞
（３−１）印刷装置２０の構成について
図６は、本発明の一実施の形態に係る印刷装置２０の概略的な構成を示す斜視図である。
【００４６】
印刷装置２０は、インクジェット式のプリンターであるが、かかるインクジェット式プリンターは、インクを噴射して印刷可能な装置であれば、いかなる噴射方法を採用した装置でも良い。
【００４７】
図６に示すように、印刷装置２０は、プラテン２１を有し、このプラテン２１に対してキャリッジ２２が往復移動自在に構成されている。キャリッジ２２は、シアン、マゼンタ、イエロー、および、ブラックインクが内部に貯留されたインクカートリッジ２３を保持している。キャリッジ２２の下方側には、レンズシート１０に対向するように、印刷手段としての印刷ヘッド２４が設けられており、インクカートリッジ２３に貯留されているインクを吸引し、微小なインク滴として吐出可能としている。なお、搭載されるインクカートリッジ２３は、４色に限られるものではなく、３色、あるいは５色以上等、何色分であっても良い。また、インクカートリッジ２３に充填されるインクは、染料系インクには限られず、顔料系インク等、他の種類のインクを搭載しても良い。また、印刷ヘッド２４は、インク量の異なる複数種類（大、中、小）のインク滴を噴射することで、複数種類のサイズのドットＤを形成することを可能としても良い。
【００４８】
キャリッジ２２には、タイミングベルト２５の一部が固着されている。タイミングベルト２５は、プーリー２６，２７を連接するように架張されている。プーリー２６には、キャリッジモーター（ＣＲモーター）２８の駆動軸が接続されている。したがって、ＣＲモーター２８が回転されると、キャリッジ２２がＸ方向（主走査方向）に往復動作する。なお、ＣＲモーター２８と、キャリッジ２２と、タイミングベルト２５と、プーリー２６，２７とは、請求項でいう移動手段の一例に対応するが、その中でＣＲモーター２８は、請求項でいう移動手段の主要部の一例に対応する。
【００４９】
キャリッジ２２の一部（この図の例では左側）には、凸レンズ１１のレンズピッチを検出するための光学センサー３０が設けられている。光学センサー３０は、請求項でいう測定手段の一例に対応する。この光学センサー３０は、たとえば投受光方式のセンサーであり、発光部と受光部とを備えている。ただし、光学センサー３０としては、発光部または受光部のみがキャリッジ２２に搭載されると共に、受光部または発光部がプラテン２１側に存在する構成としても良い。
【００５０】
キャリッジ２２が往復動作する経路上には、リニアエンコーダーを構成するスケール３１が配置されている。キャリッジ２２のスケール３１に対向する面には、リニアエンコーダーを構成する光学センサー３０が配置されており、当該光学センサー３０によってスケール３１に印刷されたパターンを検出することにより、キャリッジ２２の主走査経路上における位置を特定する。
【００５１】
プラテン２１の上流側（紙面の奥側）には、円柱形状を有する紙送りローラー３３が設けられている。紙送りローラー３３には、搬送手段の一部としての紙送りモーター（ＰＦモーター）３４の駆動力が伝達される。したがって、紙送りモーター３４が回転されると、紙送りローラー３３が回転され、レンズシート１０がプラテン２１上を、Ｙ方向（紙送り方向；搬送方向）の排紙側に向けて搬送される。なお、ＰＦモーター３４は、請求項でいう第３駆動手段の一例に対応する。
【００５２】
（ＰＧ調整機構４０について）
次に、印刷ヘッド２４とプラテン２１との間のギャップを調整する、プラテンギャップ調整機構（以下、ＰＧ調整機構４０とする）について、図７に基づいて説明する。
【００５３】
ＰＧ調整機構４０は、キャリッジ２２の移動をガイドするキャリッジ軸４１の高さ位置を調整する機構である。なお、このＰＧ調整機構は、請求項でいうギャップ調整機構の一例に対応する。このＰＧ調整機構４０は、図７に示すように、キャリッジ軸４１と、ＰＧモーター４２（図８参照）と、ＰＧモーター４２からの駆動力を伝達するＰＧギヤ輪列４３と、ＰＧカム４４と、該ＰＧカム４４が押し付けられる固定ピン４５と、該ＰＧカム４４の回動位置の検出のためのフラグ板４６と、フラグ検出センサー４８とを具備している。
【００５４】
これらのうち、ＰＧモーター４２は、プラテンギャップ（ＰＧ）調整のための駆動力を与えるためのモーターである。このＰＧモーター４２は、請求項でいう第２駆動手段の一例に対応する。また、ＰＧギヤ輪列４３は、複数のギヤから構成されていて、ＰＧカム４４を回動させるためにＰＧモーター４２の駆動力を減速して伝達する駆動伝達手段である。かかるＰＧギヤ輪列４３のうち、最終段の出力歯車４３ａは、キャリッジ軸４１に対して固定的に取り付けられている。また、キャリッジ軸４１には、ＰＧカム４４も固定的に取り付けられている。
【００５５】
また、ＰＧカム４４は、回転中心に対する半径が、段階的に異なるように設けられているカム部材である。このＰＧカム４４は、プラテンギャップ（ＰＧ）を設定可能な個数分設けられている。
【００５６】
図７に示すように、ＰＧカム４４のうち、外周のカム面４４ａは、固定ピン４５に押し付けられている。固定ピン４５は、印刷装置２０の不図示のシャーシに固定的に設けられるフレーム４９に固定的に設けられている。このため、ＰＧカム４４が回動すると、そのカム面４４ａの固定ピン４５に対する当接により、キャリッジ軸４１の高さ位置を変化させることを可能としている。ここで、フレーム４９には、長孔４９ａが設けられている。長孔４９ａは、その長手方向が上下方向に向かうように設けられている。しかも、長孔４９ａの短手方向の幅は、キャリッジ軸４１の挿通に必要な寸法のみを有している。このため、ＰＧカム４４が回動されると、キャリッジ軸４１は、長孔４９ａの内部を、その長手方向に沿って摺動する。
【００５７】
また、フラグ板４６は、ＰＧギヤ輪列４３の中途部分の不図示のギヤと同軸かつ同時に回転するように設けられている。フラグ板４６は、円盤状部４６ａの外周側に、突出方向に向かうフラグ４７が複数設けられることにより、構成されている。このフラグ４７は、光を透過させない遮光部分であり、フラグ検出センサー４８の検出領域を通過する際に、光を遮ることを可能としている。また、フラグ板４６には、ＰＧカム４４の段階数に対応する枚数のフラグ４７が設けられている。また、フラグ板４６には、フラグ検出センサー４８が近接する状態で配置されている。フラグ検出センサー４８は、発光部４８ａと受光部４８ｂとを有する光センサであり、全てのフラグ４７がこの発光部４８ａと受光部４８ｂとの間の検出領域を通過可能に設けられている。なお、受光部４８ｂから出力される信号は、制御部５０に入力されるように構成されている。それにより、ＰＧカム４４の回転ポジションが検出可能となっている。
【００５８】
また、図８に示すように、印刷装置２０には、制御部５０が設けられている。制御部５０は、印刷装置２０に接続されているコンピューター６０から受け取った印刷データに基づいて、印刷ヘッド２４を駆動させるための駆動信号を作成する。そして、この駆動信号に基づいて印刷ヘッド２４が制御駆動され、レンズシート１０にインクを噴射して所望の印刷画像を形成することが可能となっている。
【００５９】
図８に示すように、制御部５０は、ＣＰＵ（Central Processing Unit）５１、メモリー（ＲＯＭ、ＲＡＭ、不揮発性メモリー等）５２、ＡＳＩＣ（Application Specific Integrated Circuit）５３、通信Ｉ／Ｆ５５、ヘッドドライバー５６、モータードライバー５７等を備えていて、これらが例えばバス等の伝送路５４を介して相互にデータを送受信可能に接続されている。
【００６０】
これらのうち、ＣＰＵ５１は、メモリー５２に格納されているプログラムに従って各種演算処理を実行し、印刷装置２０の各部を制御する部分である。なお、ＣＰＵ５１と、制御部５０におけるＣＰＵ５１以外の各部が協動することによって、請求項でいう制御手段の一例が実現される。
【００６１】
また、メモリー５２には、印刷装置２０にセットされるレンズシート１０の向きを判定するための判定プログラム５２ａが記憶されている。この判定プログラム５２ａは、コンピューター６０側から受け渡されるレンズシート１０の方向に関する情報、または光学センサー３０でのレンズシート１０のレンズピッチの測定等の情報に基づいて、セットされたレンズシートの向きが垂直印刷を行うものであるのか、または平行印刷を行うものであるのかを判定する。なお、判定プログラム５２ａがＣＰＵ５１で実行され、さらには制御部５０におけるＣＰＵ５１以外の各部が協動することによって、請求項でいう判定手段の一例が実現される。
【００６２】
また、メモリー５２には、モーター制御プログラム５２ｂ、制御選択データ５２ｃおよび制御選択プログラム５２ｄが記憶されている。モーター制御プログラム５２ｂは、ＣＲモーター２８、ＰＦモーター３４および／またはＰＧモーター４２の制御を行うためのプログラムである。また、制御選択データ５２ｃは、セットされるレンズシート１０の方向に応じて選択される制御情報を有している。この制御情報には、垂直印刷に対応したものと、平行印刷に対応したものとが存在している。そして、いずれかの制御情報を選択することにより、モーター２８，３４，４２の制御を変更する（切り替える）ことが可能となっている。なお、制御情報としては、ＣＲモーター２８、ＰＦモーター３４および／またはＰＧモーター４２の制御に関するデータ、ＰＩＤ制御その他の制御方式の制御式における係数、定数、その他の付加的な情報等がある。
【００６３】
また、制御選択プログラム５２ｄは、判定プログラム５２ａで判定されたレンズシート１０の方向に基づいて、制御選択データ５２ｃの中で、セットされるレンズシート１０の方向に応じた制御情報を選択するためのプログラムである。すなわち、制御選択プログラム５２ｄで選択された制御情報に基づいて、モーター制御プログラム５２ｂでのＣＲモーター２８、ＰＦモーター３４および／またはＰＧモーター４２の駆動制御が行われることとなる。なお、メモリー５２には、コンピューター６０のプリンタードライバープログラムと同様のプログラムを記憶するようにしても良い。
【００６４】
ＡＳＩＣ５３は、不図示の各種のセンサーからの信号、およびその信号に基づくＣＰＵ５１からの指令に基づいて、印刷ヘッド２４および各種モーターを駆動させるための専用のＩＣである。また、通信Ｉ／Ｆ５５は、不図示のコネクターを介してコンピューター６０と接続され、通信を行う。それにより、印刷装置２０がコンピューター６０側から印刷データを受け取ると、その印刷データに基づいて、印刷装置２０で印刷のための処理が開始される。
【００６５】
また、ヘッドドライバー５６は、ＡＳＩＣ５３からの指令に応じて所定の電圧を生成し、その電圧を印刷ヘッド２４内のピエゾ素子に印加する。モータードライバー５７は、ＡＳＩＣ５３からの指令に応じて所定の電圧を生成し、その電圧をＣＲモーター２８、ＰＦモーター３４、および／またはＰＧモーター４２に印加する。
【００６６】
（３−２）印刷装置２０にセットされるレンズシート１０の方向に応じたモーター制御について
続いて、印刷装置２０にセットされるレンズシート１０の方向に応じたモーター制御について、以下に説明する。
【００６７】
コンピューター６０が印刷データと共にレンズシート１０の方向に関する情報を印刷装置２０に向けて送信する場合、ＣＰＵ５１で実行される判定プログラム５２ａに基づいて、レンズシート１０の方向を判定する。また、コンピューター６０からレンズシート１０の方向に関する情報が存在しない場合、あるいは印刷装置２０にセットされるレンズシート１０の方向について必ず検出を行う設定の場合には、ＣＰＵ５１は、ＣＲモーター２８を駆動させると共に、光学センサー３０を作動させる。それによって、レンズシート１０のレンズピッチの測定を行う。
【００６８】
かかる測定により、ＣＰＵ５１は、セットされるレンズシート１０の方向が垂直印刷に対応したものか、または平行印刷に対応したものかを、判定閾値および判定プログラム５２ａに基づいて判定することが可能となる。すなわち、垂直印刷の場合には、レンズピッチは非常に小さいものである。そのため、測定結果として判定閾値よりも小さな（十分に小さな）レンズピッチが得られる場合には、セットされたレンズシート１０の方向が垂直印刷に対応したものであると判定する。また、光学センサー３０からの検出信号に十分なレベル差がない場合、または測定結果として非常に大きなレンズピッチが得られる場合（判定閾値よりも大きなレンズピッチが得られる場合）には、セットされたレンズシート１０の向きは平行印刷に対応したものであると判定する。
【００６９】
以上のようにして、ＣＰＵ５１でレンズシート１０の方向を判定した後に、ＣＰＵ５１では、制御選択データ５２ｃが読み込まれると共に制御選択プログラム５２ｄが実行される。そして、ＣＰＵ５１では、レンズシート１０の方向に応じたモーター２８，３４，４２の制御に関して、制御選択データ５２ｃが有するいずれかの制御情報を選択する。この選択により、モーター３８，３４，４２の駆動は、水平印刷に対応したものか、または平行印刷に対応したものとすることが可能となる。
【００７０】
このように、制御情報を選択することにより、モーター２８，３４，４２の制御が変更される（切り替えられる）。そして、モーター制御プログラム５２ｂでは、選択された制御情報に基づいて、ＣＲモーター２８、ＰＦモーター３４および／またはＰＧモーター４２を制御する旨の指令を、ＡＳＩＣ５３に出力する。すると、ＡＳＩＣ５３では、その指令に基づいて、モーター２８，３４，４２が駆動される場合には、モーター２８，３４，４２を制御する。そのとき、モーター２８，３４，４２の制御内容は、レンズシート１０の方向に応じて変更されたものとなる。
【００７１】
ところで、具体的な各モーター２８，３４，４２の制御は、上述した通りであるが、要約すると、垂直印刷の場合のキャリッジの移動速度Ｖ１が、平行印刷の場合の移動速度Ｖ２よりも小さくなる（Ｖ１＜Ｖ２）ように制御している。また、プラテンギャップの調整を行う場合には、垂直印刷の場合におけるプラテンギャップを、平行印刷の場合におけるプラテンギャップよりも狭くなるように制御している。また、レンズシート１０の搬送速度の制御を行う場合には、垂直印刷の場合におけるレンズシート１０の搬送速度よりも平行印刷の場合におけるレンズシート１０の搬送速度の方が小さくなるように制御している。
【００７２】
以上のようなモーター制御と共に、印刷ヘッド２４の駆動も、印刷データに基づいて制御される。それにより、レンズシート１０には、所望する印刷画像が形成される。
【００７３】
＜４．本実施の形態における効果＞
以上のような構成の印刷装置２０および印刷方法によると、垂直印刷を行う場合には、平行印刷を行う場合よりも、キャリッジ２２の移動速度を遅くするための制御情報が、制御選択プログラム５２ｄで選択される。それにより、レンズシート１０に対して垂直印刷を実行する場合には、平行印刷の場合よりも、印刷ヘッド２４から噴射されるインク滴の着弾位置をより精度良いものとすることができる。
【００７４】
また、印刷ヘッド２４からインクを噴射する場合、主滴Ｄ１以外に、サテライトＤ２と呼ばれる微小飛沫も発生する。ここで、上述のように垂直印刷を実行する場合に、平行印刷の場合よりもキャリッジ２２の移動速度を遅くすることにより、サテライトＤ２の着弾位置を主滴Ｄ１に近づけることができる。それにより、印刷によって形成されるドットがキャリッジ２２の移動方向に広がるのを抑えることが可能となり、隣接する細分化画像の絵柄の切り替わりを良好なものとすることが可能となる。
【００７５】
また、レンズシート１０をセットする向きに応じて、プラテンギャップを変更する制御を行うようにしても良い。この場合には、レンズシート１０に対して垂直印刷を実行する場合には、平行印刷の場合よりも印刷ヘッド２４とレンズシート１０との間のギャップが狭くなるように調整される。それにより、垂直印刷の場合には、平行印刷の場合よりも、サテライトＤ２の着弾位置が主滴Ｄ１に近付けることができ、印刷精度を高くすることが可能となる。加えて、インク滴がレンズシート１０に着弾するまでの間における気流等の影響をによる位置ずれを低減することが可能となり、印刷精度を高くすることが可能となる。
【００７６】
さらに、レンズシート１０をセットする向きに応じて、レンズシート１０の搬送速度を変更する制御を行うようにしても良い。この場合には、平行印刷を行う場合には、垂直印刷を行う場合よりも、レンズシート１０の搬送速度を遅くするような制御情報が、制御選択プログラム５２ｄの実行に基づいてＣＰＵ５１で選択される。それにより、レンズシート１０に対して平行印刷を実行する場合には、垂直印刷の場合よりも、印刷ヘッド２４から噴射されるインク滴の着弾位置をより精度良いものとすることができる。また、平行印刷を実行する場合に、垂直印刷の場合よりもレンズシート１０の搬送速度を遅くすることにより、サテライトＤ２の着弾位置を主滴Ｄ１に近づけることができる。それにより、印刷によって形成されるドットＤがレンズシート１０の搬送方向に広がるのを抑えることが可能となり、隣接する細分化画像の絵柄の切り替わりを良好なものとすることが可能となる。
【００７７】
また、光学センサー３０でレンズピッチを測定し、その測定情報に基づいて、判定プログラム５２ａのＣＰＵ５１での実行により、セットされているレンズシート１０が、垂直印刷に対応したものであるのか、または平行印刷に対応したものであるのかを判定するようにしても良い。このようにする場合には、ユーザーが制御情報の選択に関する入力を行わくても、制御情報の選択を自動的に実行させることが可能となる。また、実際にセットされるレンズシート１０の方向に応じた印刷を実行させることが可能となる。
【００７８】
＜５．変形例＞
以上、本発明の一実施の形態について述べたが、本発明は、種々変形可能である。以下、それについて述べる。
【００７９】
（５−１）変形例その１
上述の実施の形態では、レンズシート１０へ直接印刷する場合に、セットされるレンズシート１０の方向に応じて、モーター２８，３４，４２の制御情報の中から適したものを選択するようにしている。しかしながら、たとえばレンズシート１０に後ほど貼付する用紙等に、本発明を適用するようにしても良い。この場合にも、本発明と同様の効果を得ることが可能となる。なお、後に用紙等を貼付して完成したものを、本発明におけるレンズシート１０の概念に含めるようにしても良い。
【００８０】
（５−２）変形例その２
また、上述の実施の形態においては、図７に示すような構成のＰＧ調整機構４０によって、プラテン２１と印刷ヘッド２４との間のギャップを調整するようにしている。しかしながら、上述したギャップの調整は、他の構成によって実現するようにしても良い。このような他のギャップ調整の機構としては、たとえば、プラテン２１側を持ち上げる機構によって、プラテンギャップを調整するものがある。
【００８１】
（５−３）変形例その３
上述の実施の形態におけるＰＧ調整機構４０は、ＰＧモーター４２を具備する構成としている。しかしながら、ＰＧモーター４２を具備せずに、他のモーターがＰＧモーターの機能を兼用する構成としても良い。この場合における他のモーターとしては、ＰＦモーター３４、ＣＲモーター２８としても良い。
【００８２】
（５−４）変形例その４
上述の実施の形態においては、光学センサー３０によって凸レンズ１１のレンズピッチを測定するようにしている。しかしながら、印刷装置２０がスキャナー機能を有する場合、またはコンピューター６０にスキャナー装置が別体的に接続されて、それらスキャナー機能またはスキャナー装置によってレンズピッチが測定可能な場合には、光学センサー３０を設けない構成としても良い。この場合には、スキャナー機能またはスキャナー装置が請求項でいう測定手段に対応する。またこの場合には、スキャナー機能またはスキャナー装置によってレンズピッチが測定できるため、判定プログラム５２ａでのレンズシート１０の方向の判定に支障が生じないためである。
【００８３】
（５−５）変形例その５
また、上述の実施の形態において、印刷装置２０の概念には、インク以外の他の液体（液体そのものや、機能材料の粒子が液体に分散又は混合されてなる液状体、ゲルのような流動性を有する材質を含む）を噴射したり噴射したりする流体噴射装置を含むようにすることもできる。そのようなものとしては、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液体を噴射する液状体噴射装置、バイオチップ製造に用いられる生体有機物を噴射する流体噴射装置、精密ピペットとして用いられ試料となる液体を噴射する流体噴射装置等がある。
【００８４】
（５−６）変形例その６
さらに、本発明の印刷装置２０の概念に含まれるものとしては、時計やカメラ等の精密機械にピンポイントで潤滑油を噴射する流体噴射装置、光通信素子等に用いられる微小半球レンズ（光学レンズ）などを形成するために紫外線硬化樹脂等の透明樹脂液を基板上に噴射する流体噴射装置、基板などをエッチングするために酸又はアルカリ等のエッチング液を噴射する流体噴射装置、ゲル（例えば物理ゲル）などの流状体を噴射する流状体噴射装置等がある。
【符号の説明】
【００８５】
１０…レンズシート、１１…凸レンズ、１２…基材、１３…インク吸収層、２０…印刷装置、２１…プラテン、２２…キャリッジ（移動手段の一部の一例に対応）、２３…インクカートリッジ、２４…印刷ヘッド、２４ａ…ノズル、２４ｂ…ノズル面、２４ｃ…ノズル列、２５…タイミングベルト（移動手段の一部の一例に対応）、２６，２７…プーリー（移動手段の一部の一例に対応）、２８…ＣＲモーター（移動手段の主要部の一例に対応）、３０…光学センサー（測定手段の一例に対応）、３１…スケール、３３…紙送りローラー、３４…ＰＦモーター（第３駆動手段の一例に対応）、４０…ＰＧ調整機構、４１…キャリッジ軸、４２…ＰＧモーター（第２駆動手段の一例に対応）、４３…ギヤ輪列、４３ａ…出力歯車、４４…ＰＧカム、４４ａ…カム面、４５…固定ピン、４６…フラグ板、４６ａ…円盤状部、４７…フラグ、４８…フラグ検出センサー、４８ａ…発光部、４８ｂ…受光部、４９…フレーム、４９ａ…長孔、５０…制御部、５１…ＣＰＵ（制御手段の主要部の一例に対応）、５２…メモリー、５２ａ…判定プログラム（制御手段の主要部の一例に対応）、５２ｂ…モーター制御プログラム、５２ｃ…制御選択データ、５２ｄ…制御選択プログラム、５３…ＡＳＩＣ、５４…伝送路、５５…通信Ｉ／Ｆ、５６…ヘッドドライバー、５７…モータードライバー、６０…コンピューター、Ｄ…ドット、Ｄ１…主滴、Ｄ２…サテライト
【図５】
0005919713.tif 000002
【図６】
0005919713.tif 000003
【図７】
0005919713.tif 000004
【図８】
0005919713.tif 000005
【図１】
0005919713.tif 000006
【図２】
0005919713.tif 000007
【図３】
0005919713.tif 000008
【図４】
0005919713.tif 000009